(57)【要約】【課題】誰でも簡単に使用可能で、相手方に十分なダメージを与えることができ、しかも簡単には相手方に奪われることのない護身用の防御具を提供することを課題とする。また、格闘の際にも簡単に破損することがなく、屋外においても使用することができる護身用の防御具を提供することを課題とする。【解決手段】スタンガンの本体２と警杖３とを着脱自在に結合し、前記警杖３の側面に前記スタンガンの電極４を取り付けたことを特徴とするスタンガン付き警杖１により、上記の課題を解決する。【選択図】図１
2007292368.tif 000002
【特許請求の範囲】
【請求項１】
スタンガンの本体と警杖とを結合し、前記警杖の側面に前記スタンガンの電極を取り付けたことを特徴とするスタンガン付き警杖。
【請求項２】
前記スタンガンの電極が平面または湾曲パネルからなることを特徴とする請求項１記載のスタンガン付き警杖。
【請求項３】
前記スタンガンの本体と警杖とを着脱自在に結合し、該結合部にシール部材を設けたことを特徴とする請求項１または２記載のスタンガン付き警杖。
【発明の詳細な説明】
【技術分野】
【０００１】
本発明は、強盗などによる不意の犯罪から、武道の心得がない一般人でも安全に護身できるスタンガン付き警杖に関するものである。
【背景技術】
【０００２】
従来、この種の護身用の防御具としては、一般の警備などに用いられる警棒が知られている。警棒は平時において警察官のシンボル的な存在として多用されているが、防御具としての実用性には乏しいものである。また、警棒より長い警杖も警備用の防御具として知られており、警杖は警棒に較べると防御具としての実用性に優れ、示威行為の警備や暴徒を抑制する際に用いられる。（例えば、特許文献１参照）。
【０００３】
さらに、警備用の防御具として近年、女性の間ではスタンガンが痴漢撃退などの手段として広く知られるようになり、スタンガンを携帯する人も増加している。そして、より効果的に暴徒を撃退可能とするスタンガンも提案されている（例えば、特許文献２参照）
【特許文献１】特開平８−２１９６８９号公報
【特許文献２】特開２００２−１１５９９４号公報
【発明の開示】
【発明が解決しようとする課題】
【０００４】
しかし、単なる警棒であっては、犯罪などの発生に際して相手が刃物やその他の凶器を用いて抵抗したりすると、これを抑制または取り押さえるには不十分であった。また、相手が凶暴な場合には、警棒を使用する側に危険が及ぶことも起こり得る。特に最近では、社会情勢を反映して犯罪が多発、凶悪化してきており、かかる事態が発生した場合には、これに直面して警備する側の安全を確保するとともに、早期に事態の改善を図ることは緊急の課題でもある。
【０００５】
また、警棒より長さの長い警杖については、警杖をうまく使いこなすために十分な訓練と技能が必要とされる。誰でも簡単に警杖を上手く使いこなすというわけには行かない。したがって、警杖を用いて防御しようとしても、下手な使用者では相手方に警杖を奪い取られて逆襲される恐れもあった。
【０００６】
また、近年、スタンガンは各種のものが市販されているが、いずれもスタンガンの本体たる筐体はＡＢＳ等の合成樹脂材料で成形されており、スタンガンの本体の機械的強度は必ずしも優れたものではない。したがって、防御具がスタンガンであることが暴徒に知られると、暴徒は電極部分を避けてスタンガンの本体に打撃を与えて破壊し、スタンガンの機能を喪失させることもあった。
【０００７】
また、スタンガンを使用する場合には、一般にスタンガンの先端には突起状の電極があるため、強い衝撃を伴う暴漢との接触時には電極が破損する可能性があった。
【０００８】
さらに、一般に市販されているスタンガンは防水機能を有さないため、屋内での使用に限定され、屋外での使用は保証の限りでなかった。
【０００９】
本発明は、上記の事情に鑑みてなされたものであり、誰でも簡単に使用可能で相手方に十分なダメージを与えることができ、しかも簡単には相手方に奪われることのない護身用の防御具を提供することを課題とする。また、格闘の際にも簡単に破損することがなく、屋外においても使用することができる護身用の防御具を提供することを課題とする。
【課題を解決するための手段】
【００１０】
請求項１記載の発明は、スタンガンの本体と警杖とを結合し、前記警杖の側面に前記スタンガンの電極を取り付けたことを特徴とするスタンガン付き警杖である。
【００１１】
請求項２記載の発明は、請求項１記載のスタンガン付き警杖において、前記スタンガンの電極が平面または湾曲パネルからなることを特徴とするものである。
【００１２】
請求項３記載の発明は、請求項１または２記載のスタンガン付き警杖において、前記スタンガンの本体と警杖とを着脱自在に結合し、該結合部にシール部材を設けたことを特徴とするものである。
【発明の効果】
【００１３】
請求項１記載のスタンガン付き警杖によれば、スタンガンの本体と警杖とを結合し、前記警杖の側面に前記スタンガンの電極を取り付けたので、警杖本来の熟練を要する使用方法を習得しない者であっても、簡単に警杖を使用することができる。すなわち、スタンガン付き警杖においては、警杖の先端部を暴漢等の相手に対して突き出し、相手に接触させるだけで電極間に放電を起こさせることができる。それにより相手に強い電気ショックを与え、暴漢を撃退することが可能となる。
【００１４】
請求項２記載のスタンガン付き警杖によれば、前記スタンガンの電極が平面または湾曲パネルからなるので、スタンガンの欠点である防御具としての強度不足を解消するとともに、警杖としても使用できる丈夫な防御具を提供できる。
【００１５】
請求項３記載のスタンガン付き警杖によれば、前記スタンガンの本体と警杖とを着脱自在に結合し、その結合部にシール部材を設けて防水機能を持たせたことから、屋外においても使用することができる。したがって、熊や猿などの害獣に対しても使用することができる。
【発明を実施するための最良の形態】
【００１６】
以下、本発明の実施形態について図面を参照しながら説明する。図１は本発明に係るスタンガン付き警杖１の外観を示す斜視図であり、図２は同スタンガンの本体２と警杖３との結合部を示す分解図である。スタンガンは本体と一対の電極からなるが、本発明に用いるスタンガンにおいては、市販されている汎用のスタンガンの部品をそのまま用いることができる。
【００１７】
警杖３は約１ｍの長さの塩化ビニール製の棒体からなり、スタンガンの本体２と着脱自在に結合され、警杖３の側面にはスタンガンの電極４，４が取り付けられる。スタンガンの本体２と警杖３との結合方法には、雄雌ねじによる結合方法、雄雌テーパー嵌合方法などを採用することができるが、本実施例では雄雌ねじ５，６による結合方法を用いている。
【００１８】
スタンガンの本体２と警杖３との結合部にはシール部材７が設けられる。具体的には断面形状が矩形のラバーリング７がスタンガンの本体端面2aと警杖の一端面3aとの間に配設される。このことによりスタンガンの本体２と警杖３との結合部はラバーリング７によりシールされることになる。なお、ラバーリング７の形状・材料には、種々の形状・材料を採用することができる。例えばニトリルゴム製の汎用オーリングを採用することも可能である。
【００１９】
スタンガンの本体２の内部には、図３に示すように電源部たる乾電池８、直流／交流変換機たる高周波発生装置９が備えられている。高周波発生装置９は乾電池８からの３Ｖ程度の直流電圧を数十万Ｖのパルス電圧に変換するものであり、スタンガンの性能を左右する重要な装置であるが、本発明に係るスタンガン付き警杖１においては市販されているスタンガンの本体２をそのまま利用することができる。
【００２０】
また、スタンガンの本体２には安全装置10および作動スイッチ11が設けられ、これらのスイッチ類の操作をするための操作片10a，11aがスタンガンの本体２の外面に露出して設けられている。ここで、安全装置10はスタンガンの作動スイッチ11を不用意に操作しても誤作動しないようにするためのものであり、通常はロックされ防御が予想される状態に至った場合に解除される。作動スイッチ11は安全装置10が解除された状態でオンすることにより、スタンガンの本体２から一対の電極４，４に高周波電圧を印加するためのものである。
【００２１】
さらにスタンガンの本体２の端面のうち、警杖３と結合される側には高周波発生装置９からの出力を電極４に伝えるためのリード線12が引き出され、その端末にはジョイントプラグ13が固着されている。
【００２２】
スタンガンの本体２と結合される警杖３は、通常の警杖に較べてやや短くされている。すなわち、本実施例による警杖３の長さはスタンガンの本体２の長さ分だけ短くされており、スタンガンの本体２と警杖３とを結合した後の長さが、通常の警杖の長さになるように製作されている。このことにより不慣れな使用者であっても支障なく使用できる。
【００２３】
警杖３の側面の先端寄り半部3bには、スタンガンの電極たる一対の金属パネル４，４が設けられている。警杖３の断面形状は通常丸棒として形成されることから、電極たる金属パネル４の形状は、図４に示すように警杖３に固着された後の形状が警杖の基部3cの形状と一致するように形成される。具体的には丸棒からなる警杖の先端寄り半部3bの側面を切欠き、断面形状が直線と円弧からなる湾曲パネル４を固着する。湾曲パネル４の固着方法はエポキシ樹脂等の接着剤を用いて行ってもよいし、ビス等を用いて機械的に固着してもよい。一対の電極４，４にはスタンガンの本体２から電力を供給するためのリード線14が接続され、警杖の基部3c側の端部に引き出されたリード線14の端末にはジョイントプラグ15が固着されている。
【００２４】
なお、電極たる金属パネル４を警杖の先端側の半部3bだけに固着したのは、警杖３の基本的使用態様は先端を相手方に突き当てて、相手方に電気ショックを与えるものであり、警杖３の側部に必要以上に長く電極を設ける必要がないからである。もちろん警杖３の側部の全長にわたって電極を設けてもよいが、製作コストの増大を招来することから、費用対効果の観点から本実施例では警杖３の側面の先端寄り半部だけに電極４を固着している。
【００２５】
電極の断面形状は直線と円弧からなる湾曲パネル４に限定されるものではなく、図５に示すような断面が矩形の平面パネル４を用いることもできる。このような平面パネル４は製作が容易であり低コストで製作できるという利点がある。
【００２６】
上述した本実施例によるスタンガン付き警杖１によれば、警杖本来の熟練を要する使用方法を習得しない者であっても、簡単に警杖を使用することができる。すなわち、スタンガン付き警杖１においては、警杖の先端部を暴漢等の相手に対して突き出し、相手に接触させるだけで電極４，４間に放電を起こさせることができる。それにより相手に強い電気ショックを与え、暴漢を撃退することが可能となる。
【００２７】
また、スタンガンの欠点である防御具としての強度不足を解消するとともに、警杖としても使用できる丈夫な防御具を提供できる。すなわち、市販されているスタンガンそのままでは、スタンガンの先端に突起状の電極があるため相手との接触時に電極が破損する可能性があるが、本実施例によれば電極としてアルミ板等の金属板を使用したことから、警杖の先端部を暴漢等に何度突き続けても簡単には破損することがない十分な強度を有する。また、警杖３の先端に近い部位の電極が暴漢等に接触することで暴漢等の動作が止まり、警杖３の先端を継続して暴漢等に突き続けることが容易となる。そのため警杖本来の威力を倍増させて暴漢等に大きなダメージを与えることが可能となる。また、警杖３の先端から過半部に取り付けられた長い電極４，４に触れると感電するため、暴漢等が警杖を掴んで奪取することが困難となり、継続して暴漢等にダメージを与えることができる。
【００２８】
さらに、スタンガンの本体２と警杖３の結合部にラバーリングのシール７を設けた水封構造としたことから屋外においても使用することができる。したがって、熊や猿などの害獣に対しても使用することができる。また、スタンガンの本体２と警杖３とを簡単に取り外すことができることから、スタンガンの本体２または警杖３のいずれか一方が破損しても、破損した方を交換して防護具としての機能を容易に回復することができる。
【００２９】
以上、本発明を実施例に基づいて説明したが、本発明はこれらの実施例に限定されるものではなく、種々の変形実施をすることができる。例えば、上記実施例においては、電極としてのパネル４の断面形状を平面または湾曲形状のものを用いたが、パネル４の断面形状は他の形状、たとえば多角形としてもよい。また、上記実施例では警杖３として塩化ビニール製のものを用いたが、警杖の材料は塩化ビニールに限定されるものではなく、樫や桜等の天然木材、グラスファイバー、ＦＲＰの他、硬くて軽量な素材であれば如何なる素材であっても使用することができる。
【図面の簡単な説明】
【００３０】
【図１】本発明に係るスタンガン付き警杖の外観斜視図である。
【図２】スタンガンの本体と警杖との結合部を示す分解図である。
【図３】スタンガンの本体の構成を示すブロック図である。
【図４】警杖の先端側の半部を示す外観斜視図である。
【図５】同上
【符号の説明】
【００３１】
１  スタンガン付き警杖
２  スタンガンの本体
３  警杖
４  電極（パネル）
７  シール部材（シール、ラバーリング）
【図１】
2007292368.tif 000003
【図２】
2007292368.tif 000004
【図３】
2007292368.tif 000005
【図４】
2007292368.tif 000006
【図５】
2007292368.tif 000007
【手続補正書】
【提出日】平成19年2月5日(2007.2.5)
【手続補正１】
【補正対象書類名】特許請求の範囲
【補正対象項目名】請求項１
【補正方法】変更
【補正の内容】
【請求項１】
スタンガンの本体と警杖とを結合し、前記警杖に前記スタンガンの電極を取り付けたことを特徴とするスタンガン付き警杖。
【手続補正２】
【補正対象書類名】明細書
【補正対象項目名】００１０
【補正方法】変更
【補正の内容】
【００１０】
請求項１記載の発明は、スタンガンの本体と警杖とを結合し、前記警杖に前記スタンガンの電極を取り付けたことを特徴とするスタンガン付き警杖である。
【手続補正３】
【補正対象書類名】明細書
【補正対象項目名】００１３
【補正方法】変更
【補正の内容】
【００１３】
請求項１記載のスタンガン付き警杖によれば、スタンガンの本体と警杖とを結合し、前記警杖に前記スタンガンの電極を取り付けたので、警杖本来の熟練を要する使用方法を習得しない者であっても、簡単に警杖を使用することができる。すなわち、スタンガン付き警杖においては、警杖の先端部を暴漢等の相手に対して突き出し、相手に接触させるだけで電極間に放電を起こさせることができる。それにより相手に強い電気ショックを与え、暴漢を撃退することが可能となる。
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
スタンガンの本体と警杖とを結合し、前記警杖の側面に、平面状または湾曲状の金属パネルからなる前記スタンガンの電極を取り付けたことを特徴とするスタンガン付き警杖。
【請求項２】
前記スタンガンの本体と警杖とを着脱自在に結合し、該結合部にシール部材を設けたことを特徴とする請求項１記載のスタンガン付き警杖。
【手続補正２】
【補正対象書類名】明細書
【補正対象項目名】全文
【補正方法】変更
【補正の内容】
【発明の詳細な説明】
【技術分野】
【０００１】
本発明は、強盗などによる不意の犯罪から、武道の心得がない一般人でも安全に護身できるスタンガン付き警杖に関するものである。
【背景技術】
【０００２】
従来、この種の護身用の防御具としては、一般の警備などに用いられる警棒が知られている。警棒は平時において警察官のシンボル的な存在として多用されているが、防御具としての実用性には乏しいものである。また、警棒より長い警杖も警備用の防御具として知られており、警杖は警棒に較べると防御具としての実用性に優れ、示威行為の警備や暴徒を抑制する際に用いられる。（例えば、特許文献１参照）。
【０００３】
さらに、警備用の防御具として近年、女性の間ではスタンガンが痴漢撃退などの手段として広く知られるようになり、スタンガンを携帯する人も増加している。そして、より効果的に暴徒を撃退可能とするスタンガンも提案されている（例えば、特許文献２参照）
【特許文献１】特開平８−２１９６８９号公報
【特許文献２】特開２００２−１１５９９４号公報
【発明の開示】
【発明が解決しようとする課題】
【０００４】
しかし、単なる警棒であっては、犯罪などの発生に際して相手が刃物やその他の凶器を用いて抵抗したりすると、これを抑制または取り押さえるには不十分であった。また、相手が凶暴な場合には、警棒を使用する側に危険が及ぶことも起こり得る。特に最近では、社会情勢を反映して犯罪が多発、凶悪化してきており、かかる事態が発生した場合には、これに直面して警備する側の安全を確保するとともに、早期に事態の改善を図ることは緊急の課題でもある。
【０００５】
また、警棒より長さの長い警杖については、警杖をうまく使いこなすために十分な訓練と技能が必要とされる。誰でも簡単に警杖を上手く使いこなすというわけには行かない。したがって、警杖を用いて防御しようとしても、下手な使用者では相手方に警杖を奪い取られて逆襲される恐れもあった。
【０００６】
また、近年、スタンガンは各種のものが市販されているが、いずれもスタンガンの本体たる筐体はＡＢＳ等の合成樹脂材料で成形されており、スタンガンの本体の機械的強度は必ずしも優れたものではない。したがって、防御具がスタンガンであることが暴徒に知られると、暴徒は電極部分を避けてスタンガンの本体に打撃を与えて破壊し、スタンガンの機能を喪失させることもあった。
【０００７】
また、スタンガンを使用する場合には、一般にスタンガンの先端には突起状の電極があるため、強い衝撃を伴う暴漢との接触時には電極が破損する可能性があった。
【０００８】
さらに、一般に市販されているスタンガンは防水機能を有さないため、屋内での使用に限定され、屋外での使用は保証の限りでなかった。
【０００９】
本発明は、上記の事情に鑑みてなされたものであり、誰でも簡単に使用可能で相手方に十分なダメージを与えることができ、しかも簡単には相手方に奪われることのない護身用の警杖を提供することを課題とする。また、格闘の際にも簡単に破損することがなく、屋外においても使用することができる護身用の警杖を提供することを課題とする。
【課題を解決するための手段】
【００１０】
請求項１記載の発明は、スタンガンの本体と警杖とを結合し、前記警杖の側面に、平面状または湾曲状の金属パネルからなる前記スタンガンの電極を取り付けたことを特徴とするスタンガン付き警杖である。
【００１１】

【００１２】
請求項２記載の発明は、請求項１または２記載のスタンガン付き警杖において、前記スタンガンの本体と警杖とを着脱自在に結合し、該結合部にシール部材を設けたことを特徴とするものである。
【発明の効果】
【００１３】
請求項１記載のスタンガン付き警杖によれば、スタンガンの本体と警杖とを結合し、前記警杖の側面に前記スタンガンの電極を取り付けたので、警杖本来の熟練を要する使用方法を習得しない者であっても、簡単に警杖を使用することができる。すなわち、スタンガン付き警杖においては、警杖の先端部を暴漢等の相手に対して突き出し、相手に接触させるだけで電極間に放電を起こさせることができる。それにより相手に強い電気ショックを与え、暴漢を撃退することが可能となる。さらに、前記スタンガンの電極が平面状または湾曲状の金属パネルからなるので、スタンガンの欠点である防御具としての強度不足を解消するとともに、警杖としても使用できる丈夫な防御具を提供できる。
【００１４】

【００１５】
請求項２記載のスタンガン付き警杖によれば、前記スタンガンの本体と警杖とを着脱自在に結合し、その結合部にシール部材を設けて防水機能を持たせたことから、屋外においても使用することができる。したがって、熊や猿などの害獣に対しても使用することができる。
【発明を実施するための最良の形態】
【００１６】
以下、本発明の実施形態について図面を参照しながら説明する。図１は本発明に係るスタンガン付き警杖１の外観を示す斜視図であり、図２は同スタンガンの本体２と警杖３との結合部を示す分解図である。スタンガンは本体と一対の電極からなるが、本発明に用いるスタンガンにおいては、市販されている汎用のスタンガンの部品をそのまま用いることができる。
【００１７】
警杖３は約１ｍの長さの塩化ビニール製の棒体からなり、スタンガンの本体２と着脱自在に結合され、警杖３の側面にはスタンガンの電極４，４が取り付けられる。スタンガンの本体２と警杖３との結合方法には、雄雌ねじによる結合方法、雄雌テーパー嵌合方法などを採用することができるが、本実施例では雄雌ねじ５，６による結合方法を用いている。
【００１８】
スタンガンの本体２と警杖３との結合部にはシール部材７が設けられる。具体的には断面形状が矩形のラバーリング７がスタンガンの本体端面2aと警杖の一端面3aとの間に配設される。このことによりスタンガンの本体２と警杖３との結合部はラバーリング７によりシールされることになる。なお、ラバーリング７の形状・材料には、種々の形状・材料を採用することができる。例えばニトリルゴム製の汎用オーリングを採用することも可能である。
【００１９】
スタンガンの本体２の内部には、図３に示すように電源部たる乾電池８、直流／交流変
換機たる高周波発生装置９が備えられている。高周波発生装置９は乾電池８からの３Ｖ程度の直流電圧を数十万Ｖのパルス電圧に変換するものであり、スタンガンの性能を左右する重要な装置であるが、本発明に係るスタンガン付き警杖１においては市販されているスタンガンの本体２をそのまま利用することができる。
【００２０】
また、スタンガンの本体２には安全装置10および作動スイッチ11が設けられ、これらのスイッチ類の操作をするための操作片10a，11aがスタンガンの本体２の外面に露出して設けられている。ここで、安全装置10はスタンガンの作動スイッチ11を不用意に操作しても誤作動しないようにするためのものであり、通常はロックされ防御が予想される状態に至った場合に解除される。作動スイッチ11は安全装置10が解除された状態でオンすることにより、スタンガンの本体２から一対の電極４，４に高周波電圧を印加するためのものである。
【００２１】
さらにスタンガンの本体２の端面のうち、警杖３と結合される側には高周波発生装置９からの出力を電極４に伝えるためのリード線12が引き出され、その端末にはジョイントプラグ13が固着されている。
【００２２】
スタンガンの本体２と結合される警杖３は、通常の警杖に較べてやや短くされている。すなわち、本実施例による警杖３の長さはスタンガンの本体２の長さ分だけ短くされており、スタンガンの本体２と警杖３とを結合した後の長さが、通常の警杖の長さになるように製作されている。このことにより不慣れな使用者であっても支障なく使用できる。
【００２３】
警杖３の側面の先端寄り半部3bには、スタンガンの電極たる一対の金属パネル４，４が設けられている。警杖３の断面形状は通常丸棒として形成されることから、電極たる金属パネル４の形状は、図４に示すように警杖３に固着された後の形状が警杖の基部3cの形状と一致するように形成される。具体的には丸棒からなる警杖の先端寄り半部3bの側面を切欠き、断面形状が直線と円弧からなる湾曲パネル４を固着する。湾曲パネル４の固着方法はエポキシ樹脂等の接着剤を用いて行ってもよいし、ビス等を用いて機械的に固着してもよい。一対の電極４，４にはスタンガンの本体２から電力を供給するためのリード線14が接続され、警杖の基部3c側の端部に引き出されたリード線14の端末にはジョイントプラグ15が固着されている。
【００２４】
なお、電極たる金属パネル４を警杖の先端側の半部3bだけに固着したのは、警杖３の基本的使用態様は先端を相手方に突き当てて、相手方に電気ショックを与えるものであり、警杖３の側部に必要以上に長く電極を設ける必要がないからである。もちろん警杖３の側部の全長にわたって電極を設けてもよいが、製作コストの増大を招来することから、費用対効果の観点から本実施例では警杖３の側面の先端寄り半部だけに電極４を固着している。
【００２５】
電極の断面形状は直線と円弧からなる湾曲パネル４に限定されるものではなく、図５に示すような断面が矩形の平面パネル４を用いることもできる。このような平面パネル４は製作が容易であり低コストで製作できるという利点がある。
【００２６】
上述した本実施例によるスタンガン付き警杖１によれば、警杖本来の熟練を要する使用方法を習得しない者であっても、簡単に警杖を使用することができる。すなわち、スタンガン付き警杖１においては、警杖の先端部を暴漢等の相手に対して突き出し、相手に接触させるだけで電極４，４間に放電を起こさせることができる。それにより相手に強い電気ショックを与え、暴漢を撃退することが可能となる。
【００２７】
また、スタンガンの欠点である防御具としての強度不足を解消するとともに、警杖としても使用できる丈夫な防御具を提供できる。すなわち、市販されているスタンガンそのままでは、スタンガンの先端に突起状の電極があるため相手との接触時に電極が破損する可能性があるが、本実施例によれば電極としてアルミ板等の金属板を使用したことから、警杖の先端部を暴漢等に何度突き続けても簡単には破損することがない十分な強度を有する。また、警杖３の先端に近い部位の電極が暴漢等に接触することで暴漢等の動作が止まり、警杖３の先端を継続して暴漢等に突き続けることが容易となる。そのため警杖本来の威力を倍増させて暴漢等に大きなダメージを与えることが可能となる。また、警杖３の先端から過半部に取り付けられた長い電極４，４に触れると感電するため、暴漢等が警杖を掴んで奪取することが困難となり、継続して暴漢等にダメージを与えることができる。
【００２８】
さらに、スタンガンの本体２と警杖３の結合部にラバーリングのシール７を設けた水封構造としたことから屋外においても使用することができる。したがって、熊や猿などの害獣に対しても使用することができる。また、スタンガンの本体２と警杖３とを簡単に取り外すことができることから、スタンガンの本体２または警杖３のいずれか一方が破損しても、破損した方を交換して防護具としての機能を容易に回復することができる。
【００２９】
以上、本発明を実施例に基づいて説明したが、本発明はこれらの実施例に限定されるものではなく、種々の変形実施をすることができる。例えば、上記実施例においては、電極としてのパネル４の断面形状を平面または湾曲形状のものを用いたが、パネル４の断面形状は他の形状、たとえば多角形としてもよい。また、上記実施例では警杖３として塩化ビニール製のものを用いたが、警杖の材料は塩化ビニールに限定されるものではなく、樫や桜等の天然木材、グラスファイバー、ＦＲＰの他、硬くて軽量な素材であれば如何なる素材であっても使用することができる。
【図面の簡単な説明】
【００３０】
【図１】本発明に係るスタンガン付き警杖の外観斜視図である。
【図２】スタンガンの本体と警杖との結合部を示す分解図である。
【図３】スタンガンの本体の構成を示すブロック図である。
【図４】警杖の先端側の半部を示す外観斜視図である。
【図５】同上
【符号の説明】
【００３１】
１  スタンガン付き警杖
２  スタンガンの本体
３  警杖
４  電極（パネル）
７  シール部材（シール、ラバーリング）